【手続補正書】
【提出日】平成29年1月12日(2017.1.12)
【手続補正１】
【補正対象書類名】特許請求の範囲
【補正対象項目名】全文
【補正方法】変更
【補正の内容】
【特許請求の範囲】
【請求項１】
メタデータに関連付けられた視覚要素を含むデータベース・システムに接続されたビデオ装置における送信方法であって、
・ビデオ・コンテンツ内の第１の視覚要素が選択されたことを受信することと、
・前記ビデオ・コンテンツ内の第２の視覚要素が選択されたことを受信することと、
・前記第１および第２の視覚要素の一方に関連付けられた任意のメタデータが前記第１および第２の視覚要素の他方にさらに関連付けられるように、前記データベース・システムにおいて前記第１の視覚要素を前記第２の視覚要素にリンクする少なくとも１つの要求を前記データベース・システムに送信することと、
を含むことを特徴とする、前記送信方法。
【請求項２】
前記第１の視覚要素が選択されたことを受信した後に、前記第１の視覚要素が前記データベース・システム内に存在するかを調べる第１の要求を前記データベース・システムに送ることをさらに含む、請求項１に記載の送信方法。
【請求項３】
前記第２の視覚要素が選択されたことを受信した後に、前記第２の視覚要素が前記データベース・システム内に存在するかを調べる第２の要求を前記データベース・システムに送ることをさらに含む、請求項１または２に記載の送信方法。
【請求項４】
視覚要素が前記データベース・システム内に存在するかを調べる要求を前記データベース・システムに送ることには、該視覚要素から特定される少なくとも１つの図式的な特徴を送ることが含まれる、請求項２から３のうちいずれか一項に記載の送信方法。
【請求項５】
前記少なくとも１つの図式的な特徴は、前記視覚要素を小さいブロックに分割して、該ブロックの各々に対して色ヒストグラムを算出することによって特定された色ヒストグラムのセットである、請求項４に記載の送信方法。
【請求項６】
メタデータに関連付けられた視覚要素を含む、ビデオ装置に接続されたデータベース・システムにおける受信方法であって、
・第１の視覚要素を第２の視覚要素にリンクする少なくとも１つの要求を前記ビデオ装置から受信することと、
・前記要求を受信すると、前記第１および第２の視覚要素の一方に関連付けられた任意のメタデータが前記第１および第２の視覚要素の他方にさらに関連付けられるように、前記データベース・システムにおいて前記第１の視覚要素と前記第２の視覚要素とをリンクすることと、
を含むことを特徴とする、前記受信方法。
【請求項７】
前記第１の視覚要素が前記データベース・システム内に存在するかを調べる要求を前記ビデオ装置から受信することと、該要求の受信時に前記第１の視覚要素が前記データベース・システム内に存在するかを調べることと、前記第１の視覚要素が存在しない場合は該第１の視覚要素を前記データベース・システムに追加することとをさらに含む、請求項６に記載の受信方法。
【請求項８】
前記第２の視覚要素が前記データベース・システム内に存在するかを調べる要求を前記ビデオ装置から受信することと、該要求の受信時に、前記第２の視覚要素が前記データベース・システム内に存在するかを調べることと、前記第２の視覚要素が存在しない場合は該第２の視覚要素を前記データベース・システムに追加することとをさらに含む、請求項６または７に記載の受信方法。
【請求項９】
視覚要素が存在するかを調べる要求を受信することには、該視覚要素から特定される少なくとも１つの図式的な特徴を受信することを含む、請求項７または８に記載の受信方法。
【請求項１０】
前記少なくとも１つの図式的な特徴は、前記視覚要素を小さいブロックに分割して、該ブロックの各々に対して色ヒストグラムを算出することによって特定された色ヒストグラムのセットである、請求項９に記載の受信方法。
【請求項１１】
視覚要素が前記データベース・システム内に存在するかを調べることには、前記受信した少なくとも１つの図式的な特徴を前記データベース・システムに含まれる各視覚要素に関連付けられた各々の図式的な特徴と比較することが含まれる、請求項９または１０に記載の受信方法。
【請求項１２】
メタデータに関連付けられた視覚要素を含むデータベースを有するデータベース・システムに接続されたビデオ装置であって、
・ビデオ・コンテンツ内の第１の視覚要素が選択されたことを受信する手段と、
・前記ビデオ・コンテンツ内の第２の視覚要素が選択されたことを受信する手段と、
・前記第１および第２の視覚要素の一方に関連付けられた任意のメタデータが前記第１および第２の視覚要素の他方にさらに関連付けられるように、前記データベース・システムにおいて前記第１の視覚要素を前記第２の視覚要素にリンクする少なくとも１つの要求を前記データベース・システムに送信する手段と、
を備えることを特徴とする、前記ビデオ装置。
【請求項１３】
前記ビデオ装置が請求項１から５のうちいずれか一項に記載の前記送信方法の前記ステップを実行するように構成されている、請求項１２に記載のビデオ装置。
【請求項１４】
メタデータに関連付けられた視覚要素を含む、ビデオ装置に接続されたデータベース・システムであって、
・第１の視覚要素と第２の視覚要素とをリンクする少なくとも１つの要求を前記ビデオ装置から受信する手段と、
・前記要求を受信すると、前記第１および第２の視覚要素の一方に関連付けられた任意のメタデータが前記第１および第２の視覚要素の他方にさらに関連付けられるように、前記データベース・システムにおいて前記第１の視覚要素と前記第２の視覚要素とをリンクする手段と、
を備えることを特徴とする、前記データベース・システム。
【請求項１５】
前記データベース・システムが請求項６から１１のうちいずれか一項に記載の前記受信方法の前記ステップを実行するように構成されている、請求項１４に記載のデータベース・システム。
【手続補正２】
【補正対象書類名】明細書
【補正対象項目名】００６４
【補正方法】変更
【補正の内容】
【００６４】
最後に、このデータベースは、表示されたドキュメントに関連付けられてもよく、任意の再生時に（例えばビデオ・オン・デマンド、キャッチアップ・テレビなど）提供されてもよい。ユーザのプロフィール、あるいは何らかのコミュニティーの記述に従って、データベース・バージョンを提供することが考えられる。コミュニティーは、ユーザのプロフィールと関心の的とに基づいて定められる。例えば、フットボール／テニスの試合に対して２つのコミュニティーが定められてもよく、例えば各チームに対して一つのコミュニティーが定められてもよい。それでユーザの体験が強化される。ユーザは残らず全体の課題に貢献し、他の人の貢献から利益を得る。
ここで例としていくつかの付記を記載する。
（付記１）
視覚要素を含むデータベース・システムに接続されたビデオ装置における送信方法であって、
・ビデオ・コンテンツ内の第１の視覚要素が選択されたことを受信すること（１２、３２）と、
・前記ビデオ・コンテンツ内の第２の視覚要素が選択されたことを受信すること（１４、３５）と、
・前記第１および第２の視覚要素の一方に関連付けられた任意のメタデータが前記第１および第２の視覚要素の他方にさらに関連付けられるように、前記データベース・システムにおいて前記第１の視覚要素を前記第２の視覚要素にリンクする少なくとも１つの要求を前記データベース・システムに送信すること（１６、３８）と、
を含むことを特徴とする、前記送信方法。
（付記２）
前記第１の視覚要素が選択されたことを受信した後に、前記第１の視覚要素が前記データベース・システム内に存在するかを調べる第１の要求を前記データベース・システムに送ること（１３、３３）をさらに含む、付記１に記載の送信方法。
（付記３）
前記第２の視覚要素が選択されたことを受信した後に、前記第２の視覚要素が前記データベース・システム内に存在するかを調べる第２の要求を前記データベース・システムに送ること（１５、３６）をさらに含む、付記１または２に記載の送信方法。
（付記４）
視覚要素が前記データベース・システム内に存在するかを調べる要求を前記データベース・システムに送ることには、該視覚要素から特定される少なくとも１つの図式的な特徴を送ることが含まれる、付記１から３のうちいずれか一項に記載の送信方法。
（付記５）
前記少なくとも１つの図式的な特徴は、前記視覚要素を小さいブロックに分割して、該ブロックの各々に対して色ヒストグラムを算出することによって特定された色ヒストグラムのセットである、付記４に記載の送信方法。
（付記６）
メタデータに関連付けられた視覚要素を含む、ビデオ装置に接続されたデータベース・システムにおける受信方法であって、
・第１の視覚要素を第２の視覚要素にリンクする少なくとも１つの要求を前記ビデオ装置から受信すること（２２、３４）と、
・前記要求を受信すると、前記第１および第２の視覚要素の一方に関連付けられた任意のメタデータが前記第１および第２の視覚要素の他方にさらに関連付けられるように、前記データベース・システムにおいて前記第１の視覚要素と前記第２の視覚要素とをリンクすること（２４）と、
を含むことを特徴とする、前記受信方法。
（付記７）
前記第１の視覚要素が前記データベース・システム内に存在するかを調べる要求を前記ビデオ装置から受信することと、該要求の受信時に前記第１の視覚要素が前記データベース・システム内に存在するかを調べることと（３４）、前記第１の視覚要素が存在しない場合は該第１の視覚要素を前記データベース・システムに追加することとをさらに含む、付記６に記載の受信方法。
（付記８）
前記第２の視覚要素が前記データベース・システム内に存在するかを調べる要求を前記ビデオ装置から受信することと、該要求の受信時に、前記第２の視覚要素が前記データベース・システム内に存在するかを調べることと（３７）、前記第２の視覚要素が存在しない場合は該第２の視覚要素を前記データベース・システムに追加することとをさらに含む、付記６または７に記載の受信方法。
（付記９）
視覚要素が存在するかを調べる要求を受信することには、該視覚要素から特定される少なくとも１つの図式的な特徴を受信することを含む、付記７または８に記載の受信方法。
（付記１０）
前記少なくとも１つの図式的な特徴は、前記視覚要素を小さいブロックに分割して、該ブロックの各々に対して色ヒストグラムを算出することによって特定された色ヒストグラムのセットである、付記９に記載の受信方法。
（付記１１）
視覚要素が前記データベース・システム内に存在するかを調べることには、前記受信した少なくとも１つの図式的な特徴を前記データベース・システムに含まれる各視覚要素に関連付けられた各々の図式的な特徴と比較することが含まれる、付記９または１０に記載の受信方法。
（付記１２）
視覚要素を含むデータベースを有するデータベース・システムに接続されたビデオ装置（４０）であって、
・前記ビデオ・コンテンツ内の第１の視覚要素が選択されたことを受信する手段（４１、４２、４３）と、
・前記ビデオ・コンテンツ内の第２の視覚要素が選択されたことを受信する手段（４１、４２、４３）と、
・前記第１および第２の視覚要素の一方に関連付けられた任意のメタデータが前記第１および第２の視覚要素の他方にさらに関連付けられるように、前記データベース・システムにおいて前記第１の視覚要素を前記第２の視覚要素にリンクする少なくとも１つの要求を前記データベース・システムに送信する手段（４５）と、
を備えることを特徴とする、前記ビデオ装置。
（付記１３）
メタデータに関連付けられた視覚要素を含む、ビデオ装置に接続されたデータベース・システムであって、
・第１の視覚要素と第２の視覚要素とをリンクする少なくとも１つの要求を前記ビデオ装置から受信する手段（１００）と、
・前記要求を受信すると、前記第１および第２の視覚要素の一方に関連付けられた任意のメタデータが前記第１および第２の視覚要素の他方にさらに関連付けられるように、前記データベース・システムにおいて前記第１の視覚要素と前記第２の視覚要素とをリンクする手段（１１０）と、
を備えることを特徴とする、前記データベース・システム。
（付記１４）
付記１２に記載の少なくとも１つのビデオ装置に接続された、付記１３に記載のメタデータに関連付けられた視覚要素を含むデータベース・システムを備えるビデオ・システム。